Podtech/llm-jp-corpus-v4-ja_patent huggingface dataset:
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
テロメア異常に関連する疾患又は状態の治療における使用のための組成物であって、Ｚｓｃａｎ４の発現が上昇している１つ以上のヒト細胞を含み、ここで、前記Ｚｓｃａｎ４の発現が上昇している１つ以上のヒト細胞は、以下の工程：
（ｉ）テロメア異常に関連する疾患又は状態を患う対象より１つ以上のヒト細胞を単離する工程、及び
（ｉｉ）前記１つ以上のヒト細胞においてＺｓｃａｎ４の発現を上昇させる薬剤と前記１つ以上のヒト細胞を接触させ、Ｚｓｃａｎ４の発現上昇によって前記１つ以上のヒト細胞においてテロメア異常の修正を誘導する工程、
によって調製され、ここで、Ｚｓｃａｎ４の発現が上昇している前記接触済みの１つ以上のヒト細胞を含む組成物は、対象に投与可能である、前記組成物。
【請求項２】
テロメア異常に関連する疾患又は状態の治療における使用のための組成物であって、対象中の１つ以上のヒト細胞においてＺｓｃａｎ４の発現を上昇させる薬剤を含み、Ｚｓｃａｎ４の発現上昇によって前記１つ以上のヒト細胞において前記テロメア異常の修正を誘導してテロメア異常に関連する前記疾患又は状態を治療する、前記組成物。
【請求項３】
核型異常に関連する疾患又は状態の治療における使用のための組成物であって、対象中の１つ以上のヒト細胞においてＺｓｃａｎ４の発現を上昇させる薬剤を含み、Ｚｓｃａｎ４の発現上昇によって前記１つ以上のヒト細胞において前記核型異常の修正を誘導して核型異常に関連する前記疾患又は状態を治療する、前記組成物。
【請求項４】
核型異常に関連する疾患又は状態の治療における使用のための組成物であって、Ｚｓｃａｎ４の発現が上昇している１つ以上のヒト細胞を含み、ここで、前記Ｚｓｃａｎ４の発現が上昇している１つ以上のヒト細胞は、以下の工程：
（ｉ）核型異常に関連する疾患又は状態を患う対象より１つ以上のヒト細胞を単離する工程、及び
（ｉｉ）前記１つ以上のヒト細胞においてＺｓｃａｎ４の発現を上昇させる薬剤と前記１つ以上のヒト細胞を接触させ、Ｚｓｃａｎ４の発現上昇によって前記１つ以上のヒト細胞において前記核型異常の修正を誘導する工程
によって調製され、ここで、Ｚｓｃａｎ４の発現が上昇している前記接触済みの１つ以上のヒト細胞を含む前記組成物は、対象に投与可能である、前記組成物。
【請求項５】
前記核型異常が染色体ヌリソミー、染色体モノソミー、染色体トリソミー、染色体テトラソミー、及び染色体ペンタソミーからなる群より選択されるか、または
前記核型異常が２１番染色体トリソミー、１６番染色体トリソミー、１８番染色体トリソミー、１３番染色体トリソミー、Ｘ染色体モノソミー、ＸＸＸ異数性、ＸＸＹ異数性、ＸＹＹ異数性、１ｐ３６領域重複、１７番染色体（ｐ１１．２ｐ１１．２）領域重複症候群、２２番染色体（ｑ１１．２ｑ１１．２）領域重複症候群、ネコ眼症候群、ネコなき症候群、ウォルフ・ヒルシュホーン、ウィリアムス・ボイレン症候群、シャルコー・マリー・トゥース病、遺伝性圧脆弱性ニューロパチー、スミス・マゲニス症候群、神経線維腫症、アラジール症候群、口蓋心臓顔面症候群、ディジョージ症候群、ステロイドスルファターゼ欠損、カルマン症候群、線型皮膚欠陥症の小眼症、副腎低形成、グリセロールキナーゼ欠損、Ｙ染色体上の精巣決定因子、無精子症（ａ因子）、無精子症（ｂ因子）、無精子症（ｃ因子）、及び１ｐ３６領域欠失からなる群より選択される、請求項３又は請求項４に記載の組成物。
【請求項６】
テロメア異常に関連する前記疾患又は状態が、
先天性角化不全症、ホイエラール・レイダーソン症候群、レーヴェース症候群、コーツプラス症候群、特発性肺性線維症、肝硬変、膵臓線維症、及び骨関節炎からなる群より選択されるテロメア短縮疾患；
ファンコーニ貧血、無巨核球性血小板減少症、再生不良性貧血、ダイアモンド・ブラックファン貧血、発作性夜間ヘモグロビン尿症（ＰＮＨ）、ピアソン症候群及びシュバッハマン・ダイアモンド症候群からなる群より選択される骨髄機能不全症候群；又は、
ウェルナー症候群、ブルーム症候群、ハッチソン・ギルフォード早老症候群、色素性乾皮症、ロスモンド・トムソン症候群、硫黄欠乏性毛髪発育異常症、ジュバーグ・マルシジ症候群、及びダウン症からなる群より選択される加齢性テロメア短縮疾患である、請求項１又は２に記載の方法。
【請求項７】
前記１つ以上のヒト細胞が成体幹細胞、組織幹細胞、始原細胞、人工多能性幹細胞、体細胞、骨髄細胞、成熟細胞、又は分化細胞である、請求項１〜４のいずれか一項に記載の組成物。
【請求項８】
前記薬剤がＺｓｃａｎ４をコードする単離核酸分子である、請求項１〜４のいずれか一項に記載の組成物。
【請求項９】
前記単離核酸分子が合成ｍＲＮＡである、請求項８に記載の組成物。
【請求項１０】
前記単離核酸分子がベクターを含む、請求項８に記載の組成物。
【請求項１１】
前記ベクターがセンダイウイルスベクターである、請求項１０に記載の組成物。
【請求項１２】
前記薬剤がＺｓｃａｎ４タンパク質である、請求項１〜４のいずれか一項に記載の組成物。
【請求項１３】
前記Ｚｓｃａｎ４タンパク質が細胞透過性ペプチドに融合されている、請求項１２に記載の組成物。
【請求項１４】
前記Ｚｓｃａｎ４がマウスＺｓｃａｎ４、ヒトＺＳＣＡＮ４、又はそれらのホモログである、請求項８又は１２に記載の組成物。
【請求項１５】
前記Ｚｓｃａｎ４がＺｓｃａｎ４−ＥＲＴ２融合タンパク質であるか、又はＺｓｃａｎ４−ΔＣタンパクである、請求項８又は１２に記載の組成物。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
ピコルナウイルス3Cプロテアーゼ及びXaaProDAPの触媒性ドメインを含む二機能性融合プロテアーゼ。
【請求項２】
式:
X-Y-Z(I)又はZ-Y-X(II)
(式中、
Xは、ピコルナウイルス3Cプロテアーゼ又はその機能的変異体であり、
Yは、任意選択のリンカーであり、
Zは、Xaa-Pro-ジペプチジルアミノペプチダーゼ(XaaProDAP)又はその機能的変異体である)
のタンパク質を含み、2つのタンパク質分解活性のうち少なくとも一方を低下させることができる自己切断活性を実質的に有さない、請求項1に記載の二機能性融合プロテアーゼ。
【請求項３】
式(I)を有する、すなわち、前記ピコルナウイルス3Cプロテアーゼ又はその機能的変異体が前記二機能性融合プロテアーゼのN末端部分にある、請求項1又は2に記載の二機能性融合プロテアーゼ。
【請求項４】
Xがヒトライノウイルス3Cプロテアーゼ又はその機能的変異体である、請求項1から3のいずれか一項に記載の二機能性融合プロテアーゼ。
【請求項５】
Xが配列番号2又はその機能的変異体を含む、請求項1から4のいずれか一項に記載の二機能性融合プロテアーゼ。
【請求項６】
Zが、E.C.3.4.14.11酵素又はその機能的変異体である、請求項1から5のいずれか一項に記載の二機能性融合プロテアーゼ。
【請求項７】
Zが、乳酸菌に由来する酵素又はその機能的変異体である、請求項6に記載の二機能性融合プロテアーゼ。
【請求項８】
Zが配列番号1又はその機能的変異体である、請求項1から7のいずれか一項に記載の二機能性融合プロテアーゼ。
【請求項９】
Zがストレプトコッカス属種に由来する酵素又はその機能的変異体である、請求項1から6のいずれか一項に記載の二機能性融合プロテアーゼ。
【請求項１０】
Zが配列番号24又はその機能的変異体である、請求項8に記載の二機能性融合プロテアーゼ。
【請求項１１】
前記機能的変異体が、対応する天然タンパク質又はタンパク質の天然部分配列と比較して1〜15アミノ酸の置換、欠失、又は付加を含む、請求項2から10のいずれか一項に記載の二機能性融合プロテアーゼ。
【請求項１２】
リンカーYを含む、請求項1から11のいずれか一項に記載の二機能性融合プロテアーゼ。
【請求項１３】
N末端に結合したタグタンパク質を含む、請求項1から12のいずれか一項に記載の二機能性融合プロテアーゼ。
【請求項１４】
請求項1から13のいずれか一項に記載の二機能性融合プロテアーゼを調製するための方法であって、宿主細胞中で二機能性融合プロテアーゼを含むタンパク質を組換え発現させ、続いて二機能性融合プロテアーゼを単離することを含む、方法。
【請求項１５】
N末端ペプチド又はタンパク質をより大きなペプチド又はタンパク質から除去するための、請求項1から13のいずれか一項に記載の二機能性融合プロテアーゼの使用。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
光力学治療を提供するための身体の開口部内に十分に挿入され固定されるように適合された照射装置であって、前記照射装置が、弾性材料から成形された筺体であって、ＬＥＤランプシステムおよび前記ＬＥＤランプシステムに電力を供給するための電源を囲む筺体を備え、前記照射装置が、操作の間に外部電力供給または光源への接続を要求せず、かつ前記開口部内に位置する間に独立して操作可能であり、
前記筺体が、前記電源を保持するための第１の筺体部分と、前記ＬＥＤランプシステムを保持するための第２の筺体部分と、を備え、前記第１の筺体部分および前記第２の筺体部分が、前記ＬＥＤランプシステムから分離可能であり、前記電源を保持するためのチャンバおよび前記チャンバの中への開口から成る前記第１の筺体部分が、弾性開口部分を通
して提供されて、前記チャンバが、前記第１の筺体部分が前記第２の筺体部分に接合されるときに閉じられることを特徴とする、照射装置。
【請求項２】
前記弾性開口部分が、前記電源から前記ＬＥＤランプシステムに渡る電気結合を可能にする、請求項１に記載の照射装置。
【請求項３】
前記弾性開口部分が、前記電源を前記第１の筺体部分に挿入するおよび／または前記第１の筺体部分から取り外すように変形され得る、請求項１または２に記載の照射装置。
【請求項４】
前記弾性開口部分が、前記チャンバ内に前記電源を保持するための首部分を備える、請求項１〜３のいずれかに記載の照射装置。
【請求項５】
前記首部分が、前記電源の幅より小さなサイズまでの前記チャンバに対する入口の弾性狭窄部であり、それによって、前記チャンバ内に前記電源を保持する、請求項４に記載の照射装置。
【請求項６】
前記チャンバの前記弾性開口部分が、前記電源の周りに密にフィットするように寸法を定められる、請求項１〜５のいずれかに記載の照射装置。
【請求項７】
前記第１の筺体部分および前記第２の筺体部分が、互いから分離される間に、前記電源および前記ＬＥＤランプシステムが、前記電源が前記ＬＥＤランプシステムに電気的に接続されることを許容するように配備される、請求項１〜６のいずれかに記載の照射装置。
【請求項８】
前記筺体が使用中に液密であるように、前記電源が前記筺体内に封止され、任意で、封止媒体が、前記第１の筺体部分および前記第２の筺体部分の間の前記接合において使用される、請求項１〜７のいずれかに記載の照射装置。
【請求項９】
前記弾性開口部分が、前記第２の筺体部分上の相補的に形作られた結合部分に接合すると共に当該結合部分との封止を形成するように配備された結合部分を有し、好適には、これら２つの結合部分の一方が、他方の結合部分の周りに配置するために伸長されるように配置されて、それによって、前記弾性材料の弾力性を使用して、前記第１の筺体部分と前記第２の筺体部分を共に保持する、請求項１〜８のいずれかに記載の照射装置。
【請求項１０】
前記第２の筺体部分が、前記照射装置が使用中であるときに前記ＬＥＤランプシステムから放出された光に対して少なくとも部分的に透明である材料で成形され、当該光が、前記第２の筺体部分上の治療表面を経由して出て、患者上の治療部位を照らして、前記治療表面が、前記治療部位との相補的なフィットに適合されたサイズおよび／または形状を有する、請求項１〜９のいずれかに記載の照射装置。
【請求項１１】
前記第２の筺体部分が、前記ＬＥＤランプシステムの要素にフィットするような１つ以上の成形された空洞を有し、好適には、前記１つ以上の成形された空洞が、前記空洞内に前記ＬＥＤランプシステムの要素を固定するための締結縁によって囲まれる、請求項１〜１０のいずれかに記載の照射装置。
【請求項１２】
使用中、前記照射装置が、５０ｍＷ／ｃｍ2を下回る平均放射照度を有する光を提供する、請求項１〜１１のいずれかに記載の照射装置。
【請求項１３】
光線感作物質または光線感作物質の前駆体を含む組成物を輸送するための薬剤輸送部位を更に備え、好適には、前記薬剤輸送部位が、前記治療表面である、請求項１〜１２のいずれかに記載の照射装置。
【請求項１４】
請求項１〜１３のいずれかに記載の照射装置、ならびに前記照射装置と共に用いるための光線感作物質または光線感作物質の前駆体を含む少なくとも１つの組成物を備える照射キット。
【請求項１５】
請求項１〜１３のいずれかに記載の照射装置を製造する方法であって、前記方法が、弾性材料から第１の筺体部分を成形することと、弾性材料から第２の筺体部分を成形することと、を含み、前記電源を保持するためのチャンバおよび前記チャンバの中への開口から成る前記第１の筺体部分が、弾性開口部分を通して提供されて、前記第２の筺体部分が、前記ＬＥＤランプシステムを保持するためのものであり、前記第１の筺体部分および第２の筺体部分が、前記ＬＥＤランプシステムとは別個の成形品であり、前記方法が、前記照射装置の前記筺体を形成するために、前記第１の筺体部分を前記第２の筺体部分に接合することによって前記チャンバを閉じることを更に含む、照射装置を製造する方法。
【請求項１６】
子宮頸部上の治療部位の光力学治療の方法における使用のために５−ＡＬＡもしくは５−ＡＬＡの誘導体またはそれらの薬学的に許容可能な塩を含む組成物であって、治療部位の光力学治療の方法が、当該治療部位に前記組成物を投与することと、請求項１０〜１３のいずれかに記載の照射装置を膣に挿入することと、前記照射装置のＬＥＤランプシステムからの光で前記治療部位を照らすことと、を含む、組成物。
【請求項１７】
前記治療部位の光力学治療の方法が、子宮頸癌および子宮頸疾患、病変または症状のためのものであり、好適には、ＨＰＶ感染、上皮内新生物形成、形成不全、前癌病変のためのものである、請求項１６に記載の組成物。
【請求項１８】
前記組成物が、前記照射装置上に提供された薬剤供給システムによって投与され、好適には、当該薬剤供給システムが、前記治療表面である、請求項１６または１７に記載の組成物。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
管を管板に接続する処理であって、
前記管板に隣接する前記管の管端部をフレア状に成形することも拡張することもなく、前記管端部と前記管板との間を、前記管端部を前記管板内に係止する締まりばめの状態で、前記管端部を前記管板の管板穴に挿入することであって、前記締まりばめは、前記管の外面を変更すること、前記管板穴の内面を変更すること、または、前記管の前記外面を変更することと前記管板穴の前記内面を変更することとの双方によって形成されている、前記管端部を前記管板の管板穴に挿入することと、
前記管の周囲に環を取り付けることと、
前記管板穴内に、または前記管板とは分離されているバッフルにある穴内に、前記環を少なくとも部分的に嵌合することと、
前記管を前記管板に摩擦撹拌溶接することと
を備える、処理。
【請求項２】
請求項１に記載の処理であって、
前記締まりばめは、ローレット加工またはフィンを含むように前記管の前記外面を変更することによって形成されている、処理。
【請求項３】
請求項１に記載の処理であって、
前記環は、径方向の内側に向かって撓むことで前記管の前記外面と係合することが可能な複数の可撓性のタブを含んでいる、処理。
【請求項４】
請求項３に記載の処理であって、
前記環は、さらに雄ねじを含み、前記管板穴または前記バッフルにある前記穴は、その内面に雌ねじを含み、前記環上の前記雄ねじを前記雌ねじに係合させるように、前記環を前記管板穴内または前記バッフルにある前記穴内にねじ込む、処理。
【請求項５】
請求項４に記載の処理であって、
前記環はさらに、前記管板穴または前記バッフルにある前記穴に対する前記環の回転を促進して、前記環を前記管板穴または前記バッフルにある前記穴へねじ込んだり、前記管板穴または前記バッフルにある前記穴から抜き出したりする工具嵌合構造を含み、該工具嵌合構造に嵌合する工具を使用して、前記環を前記管板穴内または前記バッフルにある前記穴内へねじ込む、処理。
【請求項６】
請求項５に記載の処理であって、
前記管端部が前記管板の１つの面と同一平面上になるまで、前記環を前記管板穴または前記バッフルにある前記穴へねじ込むことを備える、処理。
【請求項７】
請求項１に記載の処理であって、
前記管及び前記管板は、熱交換器の一部を形成する、処理。
【請求項８】
熱交換器であって、
複数の穴と、内側と、外側とを有する第１管板と、
第１端と第２端とを有する複数の管であって、各管の前記第１端が、前記第１管板にある前記穴のうちの対応する１つの中に、各第１端と前記第１管板との間が締まりばめの状態で配置されている、複数の管と
を備え、
各管の前記第１端は、前記第１管板の前記外側で前記第１管板に摩擦撹拌溶接され、
各管の前記第１端はフレア状に成形されても拡張されてもない、熱交換器。
【請求項９】
請求項８に記載の熱交換器であって、さらに、
複数の穴と、内側と、外側とを有する第２管板を備え、
各管の前記第２端は、前記第２管板にある前記穴のうちの対応する１つの中に配置され、
各管の前記第２端は、前記第２管板の前記外側で前記第２管板に摩擦撹拌溶接されている、熱交換器。
【請求項１０】
請求項９に記載の熱交換器であって、
前記管は、円筒状であり、前記第１端から前記第２端まで一定の直径を有している、熱交換器。
【請求項１１】
請求項８に記載の熱交換器であって、
各管の前記第１端が摩擦強化構造を設けられた外面を有しているか、または、各管板の穴の内面に摩擦強化構造が設けられているか、または、各第１端の前記外面と各管の穴の前記内面との双方に摩擦強化構造が設けられている、熱交換器。
【請求項１２】
請求項９に記載の熱交換器であって、
各管の前記第１端は、ローレット加工またはフィンが設けられた外面を有している、熱交換器。
【請求項１３】
請求項９に記載の熱交換器であって、さらに、
前記管の各々の周囲に配置された環を備え、
前記環は、対応する前記管板の穴内に、または前記管板とは分離されているバッフルにある対応する穴内に部分的に嵌合している、熱交換器。
【請求項１４】
請求項１３に記載の熱交換器であって、
各環は、径方向の内側に向かって撓むとともに、対応する前記管の外面と係合する複数の可撓性のタブを含んでいる、熱交換器。
【請求項１５】
請求項１４に記載の熱交換器であって、
各環は、さらに雄ねじを含み、
各管板の穴または各バッフルの穴は、その内面に雌ねじを含み、
各環上の前記雄ねじは、前記雌ねじに係合されている、熱交換器。
【請求項１６】
請求項１５に記載の熱交換器であって、
各環は、さらに、その一端に、前記管板の穴またはバッフル板の穴に対する前記環の回転を促進する工具嵌合構造を含む、熱交換器。
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
輪（Ａ）を有する欠陥僧房弁（ＭＶ）を治療するための医療システム（３００）であって、
前記システムが、
前記弁に隣接する冠状静脈洞（ＣＳ）内に一時的に挿入するための取り外し可能で柔軟な長尺変位ユニット（３０１）であって、
前記ＣＳ内へ送達するための送達状態、および
変位ユニットが前記送達状態から一時的かつ可逆的に移行することができる活性化状態
を有し、かつ
可逆的に拡張可能な近位部分（３０２）、および
輪の形状が修正形状（Ａ’）に修正される前記活性化状態になるように前記変位ユニットの長手方向（３０４）に前記拡張可能な近位部分に対して動くことができる固定遠位部分（３０３）
を備える変位ユニット（３０１）と、
前記修正形状が得られたときに弁の弁輪形成によって僧房弁輪に恒久的に固定するための弁輪形成装置（１０２）であって、前記修正形状を保持するように適合された固定構造（１０３）を備える弁輪形成装置（１０２）と、
を組み合わせて備える、医療システム（３００）。
【請求項２】
前記固定構造が、活性化状態での一時的な活性化の後に変位ユニットの送達状態において輪の前記修正形状を保持すべく適合される、請求項１に記載の医療システム。
【請求項３】
前記拡張可能な近位部分と前記固定遠位部分との前記長手方向の距離（Ｌ）は、前記変位ユニットが前記送達状態から前記活性化状態に移行するときに、短縮された距離（Ｌ’）まで短くなる、請求項１または２に記載の医療システム。
【請求項４】
前記変位ユニットの曲率半径が、前記変位ユニットが前記送達状態から前記活性化状態に移行するときに小さくなる、請求項１〜３のいずれか一項に記載の医療システム。
【請求項５】
前記拡張可能な近位部分が、前記ＣＳの入口に組織壁（３０５）に接触して置かれるための拡張状態になるように可逆的に折り畳み可能である、請求項１〜４のいずれか一項に記載の医療システム。
【請求項６】
前記拡張可能な近位部分が、前記ＣＳの入口に組織壁（３０５）に接触して置かれるための拡張式ワイヤローブ（３０６、３０７）を備える、請求項１〜５のいずれか一項に記載の医療システム。
【請求項７】
前記拡張可能な近位部分が、変位ユニットの前記活性化状態において前記固定遠位部分よりも大きな拡張直径を有する、請求項１〜６のいずれか一項に記載の医療システム。
【請求項８】
前記固定遠位部分が、変位ユニットの前記活性化状態において前記ＣＳに接触して固定されるように拡張可能である、請求項１〜７のいずれか一項に記載の医療システム。
【請求項９】
前記固定遠位部分が、拡張式コイルワイヤ（３１１）を備える、請求項１〜８のいずれか一項に記載の医療システム。
【請求項１０】
前記コイルワイヤが、前記固定遠位部分を縮小された直径の送達形状まで伸張させ、かつ、前記活性化状態において前記コイルワイヤにかかる張力を低減して前記固定遠位部分を拡張すべく適合される制御ワイヤ（３０８）に接続される、請求項９に記載の医療システム。
【請求項１１】
前記変位ユニットが送達ワイヤ（３０９）を備え、前記送達ワイヤ（３０９）が、前記固定遠位部分を送達し、かつ、前記活性化状態において前記固定遠位部分を前記拡張可能な近位部分に向かって引っ張ることによって前記距離（Ｌ）が短くなるように適合される、請求項３に記載の医療システム。
【請求項１２】
前記拡張可能な近位部分が、前記ＣＳの直径よりも実質的に大きな直径を有する拡張状態になるように可逆的に折り畳み可能である、請求項５に記載の医療システム。
【請求項１３】
前記固定構造が、前記弁の両側に配置されて輪の前記修正形状を保持するためのらせん形ループ構造などのループ構造（１０３）を備え、ループ構造の少なくとも一部分が前記輪の曲率に一致する、請求項１〜１２のいずれか一項に記載の医療システム。
【請求項１４】
前記弁輪形成装置がカテーテルを通って送達可能である、請求項１〜１３のいずれか一項に記載の医療システム。
【請求項１５】
変位ユニットの少なくとも一部分が、前記ループ構造の曲率を少なくとも部分的に呈する活性化形状になるように可逆的に動くことができる、請求項１３または１４に記載の医療システム。
【請求項１６】
前記固定部分が、少なくとも１つのフックなどの組織保持部分（３１２、３１２’）を備える、請求項１〜１５のいずれか一項に記載の医療システム。
【請求項１７】
前記固定部分が、少なくとも部分的に湾曲したまたは球状の表面などの組織非外傷性表面を有する組織付着部分（３１３）を備える、請求項１〜１６のいずれか一項に記載の医療システム。
【請求項１８】
前記組織保持部分が、前記長手方向に対して実質的に垂直な方向に拡張可能であり、および／または、
前記組織付着部分が、前記長手方向に対して実質的に垂直な方向に拡張可能である、請求項１６または１７に記載の医療システム。
【請求項１９】
前記組織保持部分および前記組織付着部分が、実質的に反対方向に拡張可能である、請求項１８に記載の医療システム。
【請求項２０】
前記変位ユニットが、その半径方向部分に、前記ＣＳ内で前記変位ユニットを回転配列させるための少なくとも１つのＸ線不透過性マーカー（１０９）を備える、請求項１〜１９のいずれか一項に記載の医療システム。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
毛を切断するための装置であって、前記装置は、
前記装置の使用中、ユーザの皮膚に対して配置される処理ヘッドを有し、
前記処理ヘッドは、
毛を切断する処理ユニットと、
前記切断ユニットの動作特性を制御するコントローラと、
センサと、
を有し、
前記センサは、ユーザの毛及び／又は皮膚に付与される物質を検出し、
前記コントローラは、前記センサによる前記毛及び／又は皮膚上の前記物質の検出に依存して、前記切断ユニットの動作特性を変更する、装置。
【請求項２】
前記コントローラは、前記センサが前記物質を検出した場合に、前記切断ユニットを動作させる、請求項１記載の装置。
【請求項３】
前記コントローラは、前記センサが前記物質を検出した場合に、前記切断ユニットの動作を停止させる、請求項１又は２に記載の装置。
【請求項４】
前記処理ヘッドは、前記装置の使用中、前記ユーザの皮膚に対して配置可能なガイド面を有し、前記切断ユニットと前記ガイド面との間の距離は、調整可能であり、前記コントローラは、前記物質の検出に依存して、前記切断ユニットと前記ガイド面との間の前記距離を調整する、請求項１乃至３のいずれか１項に記載の装置。
【請求項５】
前記センサは、前記装置が使用中である場合に前記切断ユニットに隣接している前記ユーザの毛及び／又は皮膚を検出する、請求項１乃至４のいずれか１項に記載の装置。
【請求項６】
前記センサは、前記切断ユニットの外縁の少なくとも一部の周りの前記物質を検出する、請求項１乃至５のいずれか１項に記載の装置。
【請求項７】
前記センサは、前記切断ユニットの前記外縁周りに延在する、請求項６記載の装置。
【請求項８】
前記センサは、ウェーブガイドと、センサ要素と、を有する、請求項６又は７に記載の装置。
【請求項９】
前記処理ヘッドは、２以上の切断ユニットを有する、請求項１乃至８のいずれか１項に記載の装置。
【請求項１０】
前記コントローラは、他の切断ユニットの動作特性とは独立して、前記２以上の切断ユニットの少なくとも１つの、又は、前記物質の検出に依存して前記他の切断ユニットの少なくとも１つの動作特性を変更する、請求項９記載の装置。
【請求項１１】
前記ユーザの毛及び／又は皮膚上の前記物質を検出する複数のセンサを有し、前記複数のセンサのうちの少なくとも２つは、前記センサが、前記装置が使用中である場合に、複数の方向において前記切断ユニットに隣接する前記ユーザの毛及び／又は皮膚を検出するように、前記切断ユニットの外縁の周りに配置される、請求項１乃至１０のいずれか１項に記載の装置。
【請求項１２】
前記複数のセンサのうちの少なくとも１つは、２つの切断ユニットの間の領域において、前記ユーザの毛及び／又は皮膚を検出する、請求項１１記載の装置。
【請求項１３】
前記装置は、フィードバックユニットを更に有し、前記コントローラは、前記センサが前記物質を検出した場合に、前記フィードバックユニットの動作特性を変更する、請求項１乃至１２のいずれか１項に記載の装置。
【請求項１４】
請求項１乃至１３のいずれか１項に記載の毛を切断するための装置と、前記装置の前記センサによって検出可能である物質をユーザの毛及び／又は皮膚に付与するための装置と、を有する、毛を切断するためのシステム。
【請求項１５】
毛を切断するための装置であって、前記装置は、
前記装置の使用中、ユーザの皮膚に対して配置される処理ヘッドを有し、
前記処理ヘッドは、
毛を切断する切断ユニットと、
前記切断ユニットの動作特性を制御するコントローラと、
センサと、
を有し、
前記センサは、より長い毛と短い毛との間の境界を検出し、
前記コントローラは、前記センサによる、より長い毛と短い毛との間の前記境界の検出に依存して、前記切断ユニットの動作特性を変更する、装置。
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
輸送刺激により薬剤を組織に送達する薬剤キャリアであって、
治療中の組織に係合するための組織接触面を有する薬剤キャリア本体であって、薬剤キャリア本体内を少なくとも部分的に通って前記組織接触面まで延び、組織表面への薬剤の輸送を可能にする複数のマイクロチャネルを備える薬剤キャリア本体、
を備える薬剤キャリアであり、
前記薬剤キャリアが、薬剤を前記薬剤キャリアの前記マイクロチャネル内へ輸送し、組織表面に輸送する超音波を伝えることができ、
前記薬剤キャリアが、前記組織内への前記薬剤の浸透を引き起こすか、促進するか又は浸透を引き起こし且つ促進する組織表面に超音波を伝えることができる、
薬剤キャリア。
【請求項２】
前記薬剤キャリア本体内を少なくとも部分的に通って前記組織接触面まで延びる前記複数のマイクロチャネルにより、前記薬剤キャリア内に薬剤を保持することが可能である、請求項１に記載の薬剤キャリア。
【請求項３】
前記薬剤キャリア本体が半導体材料、ポリマー、プラスチック材料、または金属のうちの１つ以上から製造されている、請求項１又は２に記載の薬剤キャリア。
【請求項４】
前記薬剤キャリア本体が前記組織接触面を含む組織接触層と、少なくとも１つの他の層とを含む積層体を備える、請求項１〜３のいずれか一項に記載の薬剤キャリア。
【請求項５】
前記組織接触面に微小突起が形成されており、前記突起が前記マイクロチャネルの少なくとも１つにより画成された内部空洞を備える、請求項１〜４のいずれか一項に記載の薬剤キャリア。
【請求項６】
薬剤を貯蔵するための薬剤リザーバを備える、請求項１〜５のいずれか一項に記載の薬剤キャリア。
【請求項７】
前記薬剤リザーバが少なくとも部分的に前記薬剤キャリア本体内に形成されている、請求項６に記載の薬剤キャリア。
【請求項８】
前記マイクロチャネルおよび／または薬剤リザーバが少なくとも部分的に前記薬剤キャリア本体内の内部露出面により画成され、前記内部露出面が所定の親水性、疎水性、および／または導電性を有するように構成されている、請求項１〜７のいずれか一項に記載の薬剤キャリア。
【請求項９】
使用時に前記薬剤キャリア本体を機械的に支持するように構成されたハウジングを備える、請求項１〜８のいずれか一項に記載の薬剤キャリア。
【請求項１０】
前記薬剤キャリアがアプリケータデバイスの一部として１回だけ使用されるように構成された消耗アプリケータチップである、請求項１〜９のいずれか一項に記載の薬剤キャリア。
【請求項１１】
輸送刺激により薬剤を組織内に送達するための薬剤キャリア本体であって：
治療中の組織に係合するための組織接触面
を備え、薬剤キャリア本体内を少なくとも部分的に通って前記組織接触面まで延び、組織表面への前記薬剤の輸送を可能にする複数のマイクロチャネルを備える、
薬剤キャリア本体であり、
前記薬剤キャリア本体が以下を促進する超音波を伝えることができる、薬剤キャリア本体
前記薬剤キャリア本体内のマイクロチャネル内および組織表面への前記薬剤の輸送；ならびに
前記組織内への前記薬剤の浸透。
【請求項１２】
前記薬剤キャリア本体内を少なくとも部分的に通って延びる複数のマイクロチャネルが、前記薬剤の保持を可能にする、請求項１１に記載の薬剤キャリア本体。
【請求項１３】
前記薬剤キャリア本体が半導体材料、ポリマー、プラスチック材料、または金属のいずれか１つ以上から製造されている、請求項１１又は１２に記載の薬剤キャリア本体。
【請求項１４】
薬剤を貯蔵するためのリザーバが、少なくとも部分的に前記薬剤キャリア本体内に形成されている、請求項１１〜１３のいずれか一項に記載の薬剤キャリア本体。
【請求項１５】
前記マイクロチャネルおよび／または薬剤リザーバが、少なくとも部分的に前記薬剤キャリア本体内の内部露出面により画成され、前記内部露出面が所定の親水性、疎水性、および／または導電性を有するように構成されている、請求項１１〜１４のいずれか一項に記載の薬剤キャリア本体。
【請求項１６】
前記薬剤キャリア本体がケイ素から形成されている、請求項１１〜１５のいずれか一項に記載の薬剤キャリア本体。
【請求項１７】
前記組織接触面が、平坦、凸面、凹面またはトロイダル面である、請求項１〜１０のいずれか一項に記載の薬剤キャリア。
【請求項１８】
前記皮膚が、眼組織または口腔粘膜である、請求項１〜１０及び１７のいずれか一項に記載の薬剤キャリア。
【請求項１９】
前記組織接触面が、平坦、凸面、凹面またはトロイダル面である、請求項１１〜１６のいずれか一項に記載の薬剤キャリア本体。
【請求項２０】
前記皮膚が、眼組織または口腔粘膜である、請求項１１〜１６及び１９のいずれか一項に記載の薬剤キャリア本体。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
除細動器であって、
除細動器ショックを生成するのに適した放電レートをコンデンサに提供するよう構成される第１の電池と、
前記第１の電池より大きい容量を持つ電源と、
前記第１の電池及び前記電源に結合され、前記第１の電池及び前記電源の間の接続、並びに前記第１の電池及び前記電源の各々から前記コンデンサへの接続を選択的にイネーブルにするよう構成される電源制御モジュールとを有し、
前記電源制御モジュールが、前記コンデンサから、前記第１の電池から、及び前記電源からのフィードバックに基づき、前記接続を選択的にイネーブルにし、前記コンデンサの充電レートを上昇させるようエネルギー源の構成を調整する、除細動器。
【請求項２】
前記電源が、第２の電池を含む、請求項１に記載の除細動器。
【請求項３】
前記電源が、直流ソース及び交流ソースの１つを含む、請求項１に記載の除細動器。
【請求項４】
前記電源制御モジュールが前記第１の電池及び前記電源の間の接続、並びに前記第１の電池及び前記電源の各々から前記コンデンサへの接続を選択的にイネーブル又はディスエーブルにするよう構成されるコントローラを含む、請求項１に記載の除細動器。
【請求項５】
前記電源が、前記第１の電池を充電するよう構成される、請求項１に記載の除細動器。
【請求項６】
前記電源制御モジュールにより制御される１つ又は複数の追加的な電池を更に有する、請求項１に記載の除細動器。
【請求項７】
除細動器であって、
除細動器ショックを生成するのに適した放電レートをコンデンサに提供するよう構成される第１の電池と、
前記第１の電池より大きい容量を持つ第２の電池と、
前記第１の電池及び前記第２の電池の間に結合され、前記第１の電池及び前記第２の電池の間の接続、並びに前記第１の電池及び前記第２の電池の各々から前記コンデンサへの接続を選択的にイネーブルにするよう構成される電源制御モジュールと、
前記電源制御モジュール及び前記コンデンサに結合され、ショック供給デバイスに対する前記コンデンサの放電を可能にする供給回路であって、前記コンデンサの状態に関するフィードバックを前記電源制御モジュールに提供する供給回路とを有し、
前記電源制御モジュールが、前記供給回路を通して前記第１の電池及び前記第２の電池から、並びに前記供給回路を通して前記コンデンサからのフィードバックに基づき、前記接続を選択的にイネーブルにし、前記コンデンサの充電レートを上昇させるようエネルギー源の構成を調整する、除細動器。
【請求項８】
前記電源制御モジュールが、前記第１の電池及び前記第２の電池の間の接続、並びに前記第１の電池及び前記第２の電池の各々から前記コンデンサへの接続を選択的にイネーブル又はディスエーブルにするよう構成されるコントローラを含む、請求項７に記載の除細動器。
【請求項９】
前記第２の電池が、前記第１の電池を充電するよう構成される、請求項７に記載の除細動器。
【請求項１０】
前記電源制御モジュールにより制御される１つ又は複数の追加的な電池を更に有する、請求項７に記載の除細動器。
【請求項１１】
除細動器を充電する方法において、
除細動器ショックを生成するのに適した放電レートをコンデンサに提供するよう構成される第１の電池と、前記第１の電池より大きい容量を持つ電源と、前記第１の電池及び前記電源に結合され、前記第１の電池及び前記電源の間の接続、並びに前記第１の電池及び前記電源の各々から前記コンデンサへの接続を選択的にイネーブルにするよう構成される電源制御モジュールとを提供するステップと、
フィードバックに基づき、前記接続を選択的にイネーブルにする前記電源制御モジュールにより前記コンデンサを充電するステップと、
前記コンデンサから、前記第１の電池から、及び前記電源からのフィードバックを前記電源制御モジュールで受信し、前記コンデンサの充電レートを上昇させるようエネルギー源の構成を調整するステップとを有する、方法。
【請求項１２】
前記電源が、前記電源制御モジュールに基づき、前記第１の電池を充電するよう構成される第２の電池を含む、請求項１１に記載の方法。
【請求項１３】
前記電源が、直流ソース及び交流ソースの１つを含む、請求項１１に記載の方法。
【請求項１４】
前記コンデンサの充電速度を改善するため、前記第１の電池及び前記電源の間の接続、並びに前記第１の電池及び前記電源の各々から前記コンデンサへの接続を選択的にイネーブル又はディスエーブルにするステップを更に有する、請求項１１に記載の方法。
【請求項１５】
（ｉ）前記電源制御モジュールにより１つ又は複数の追加的な電池を制御するステップ、又は（ｉｉ）ショック供給デバイスを通して前記コンデンサを放電することによりショックを供給するステップの少なくとも１つを更に有する、請求項１１に記載の方法。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
気体媒体から汚染物質を除去することが可能なフィルターカートリッジであって、
気体入口と、
フィルター媒体と、
気体出口と、を含む、封止されたカートリッジハウジングを備え、
前記フィルター媒体が、
第１吸着層と、
前記第１吸着層よりも前記気体出口に近接する第２吸着層であって、前記第１吸着層が前記第２吸着層より高い吸着容量及び／又は高い吸着速度を有する、第２吸着層と、
検出要素であって、前記検出要素の指示要素が前記第１吸着層と前記第２吸着層との間の境界面に位置付けられるように、前記第１吸着層及び第２吸着層に隣接する、検出要素と、を含む多層構造を有する、
フィルターカートリッジ。
【請求項２】
前記第２吸着層についての吸着係数Ａ２に対する、前記第１吸着層についての吸着係数Ａ１の比が、Ａ１／Ａ２＞１であり、吸着層についての吸着係数が、式：
Ａ＝ｋｖ×ＳＬ
（式中、Ａ＝吸着係数であり、
ｋｖ＝有効吸着速度係数（分−１）であり、
ＳＬ＝耐用期間（分）、すなわち標準温度及び圧力において所与の課題蒸気が１％漏出に到達するのに必要な時間である）から決定される、請求項１に記載のフィルターカートリッジ。
【請求項３】
気体から汚染物質を濾過する方法であって、
フィルターカートリッジを提供する工程であって、前記フィルターカートリッジが、
気体入口と、
フィルター媒体と、
気体出口と、を含む封止されたカートリッジハウジングを備え、
前記フィルター媒体が、
第１吸着層と、
前記第１吸着層よりも前記気体出口に近接する第２吸着層であって、前記第１吸着層が前記第２吸着層より高い吸着容量及び／又は高い吸着速度を有する、第２吸着層と、
検出要素であって、前記検出要素の指示要素が前記第１吸着層と第２吸着層との間の境界面に位置付けられるように、前記第１吸着層及び前記第２吸着層に隣接する、検出要素と、を有する多層構造を含む、工程と、
気体を、前記フィルターカートリッジを通して流す工程と、
前記検出要素で検出応答を検知する工程と、
前記フィルターカートリッジを取り換える工程と、を含む、方法。
【請求項４】
前記第２吸着層についての吸着係数Ａ２に対する、前記第１吸着層についての吸着係数Ａ１の比が、Ａ１／Ａ２＞１であり、吸着層についての吸着係数が、式：
Ａ＝ｋｖ×ＳＬ
（式中、Ａ＝吸着係数であり、
ｋｖ＝有効吸着速度係数（分−１）であり、
ＳＬ＝耐用期間（分）、すなわち標準温度及び圧力において所与の課題蒸気が１％漏出に到達するのに必要な時間である）から決定される、請求項３に記載の方法。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ビデオ情報を復号する方法であって、
現在のピクチャための参照レイヤピクチャとして使用され得る複数のピクチャを示すビデオパラメータセット（ＶＰＳ）中のシンタックスを処理することと、
前記現在のピクチャとは異なる空間解像度を有する前記示された参照レイヤピクチャのうちの多くとも１つを識別するシンタックスを処理することと、
前記識別された参照レイヤピクチャを使用して前記現在のピクチャを復号すること
を備える、方法。
【請求項２】
前記現在のピクチャを予測するために、多くとも１つのリサンプリングプロセスだけが実行されることを許可することをさらに備える、請求項１に記載の方法。
【請求項３】
スライスヘッダ中で参照レイヤ識別を示すシンタックス要素を処理すること、ここにおいて、前記参照レイヤ識別が、前記現在のピクチャを復号するために使用されるべき前記多くとも１つの参照レイヤピクチャを示す、および／または、
ピクチャパラメータセット（ＰＰＳ）中で参照レイヤ識別を示すシンタックス要素を処理すること、ここにおいて、前記参照レイヤ識別が、前記現在のピクチャを復号するために使用されるべき前記多くとも１つの参照レイヤピクチャを示す、および／または、
前記現在のピクチャの前記参照レイヤピクチャを示すフラグを処理すること
をさらに備える、請求項１に記載の方法。
【請求項４】
前記現在のピクチャを復号することは、前記現在のピクチャのレイヤＩＤに最も近いレイヤＩＤを有する前記参照レイヤピクチャのみを用いることを備える、請求項１に記載の方法。
【請求項５】
ビデオ情報を符号化する方法であって、
現在のピクチャための参照レイヤピクチャとして使用され得る複数のピクチャを示すビデオパラメータセット（ＶＰＳ）中のシンタックスをシグナリングすることと、
前記現在のピクチャとは異なる空間解像度を有する前記示された参照レイヤピクチャのうちの多くとも１つを識別するシンタックスをシグナリングすることと、
前記識別された参照レイヤピクチャを使用して前記現在のピクチャを符号化すること
を備える、方法。
【請求項６】
前記現在のピクチャを予測するために、多くとも１つのリサンプリングプロセスだけが実行されることを許可することをさらに備える、請求項５に記載の方法。
【請求項７】
スライスヘッダ中で参照レイヤ識別を示すシンタックス要素をシグナリングすること、ここにおいて、前記参照レイヤ識別が、前記現在のピクチャを符号化するために使用されるべき前記多くとも１つの参照レイヤピクチャを示す、および／または、
ピクチャパラメータセット（ＰＰＳ）中で参照レイヤ識別を示すシンタックス要素をシグナリングすること、ここにおいて、前記参照レイヤ識別が、前記現在のピクチャを符号化するために使用されるべき前記多くとも１つの参照レイヤピクチャを示す、および／または、
スライスの前記現在のピクチャの前記参照レイヤピクチャを示すフラグをシグナリングすること
をさらに備える、請求項５に記載の方法。
【請求項８】
前記現在のピクチャのレイヤＩＤに最も近いレイヤＩＤを有する前記参照レイヤピクチャのみを用いることによって、レイヤ間参照ピクチャとしての多くとも１つの参照レイヤピクチャの使用を制限することをさらに備える、請求項５に記載の方法。
【請求項９】
ビデオ情報を復号するための装置であって、
現在のピクチャための参照レイヤピクチャとして使用され得る複数のピクチャを示すビデオパラメータセット（ＶＰＳ）中のシンタックスを処理するための手段と、
前記現在のピクチャとは異なる空間解像度を有する前記示された参照レイヤピクチャのうちの多くとも１つを識別するシンタックスを処理するための手段と、
前記識別された参照レイヤピクチャを使用して前記現在のピクチャを復号するための手段
を備える、装置。
【請求項１０】
ビデオ情報を符号化するための装置であって、
現在のピクチャための参照レイヤピクチャとして使用され得る複数のピクチャを示すビデオパラメータセット（ＶＰＳ）中のシンタックスをシグナリングするための手段と、
前記現在のピクチャとは異なる空間解像度を有する前記示された参照レイヤピクチャのうちの多くとも１つを識別するシンタックスをシグナリングするための手段と、
前記識別された参照レイヤピクチャを使用して前記現在のピクチャを符号化するための手段
を備える、装置。
【請求項１１】
デジタルテレビジョン、デジタルダイレクトブロードキャストシステム、ワイヤレスブロードキャストシステム、携帯情報端末（ＰＤＡ）、ラップトップコンピュータ、デスクトップコンピュータ、タブレットコンピュータ、電子ブックリーダ、デジタルカメラ、デジタル記録デバイス、デジタルメディアプレーヤ、ビデオゲームデバイス、ビデオゲームコンソール、セルラー電話、衛星無線電話、スマートフォン、ビデオ遠隔会議デバイス、およびビデオストリーミングデバイスのうちの１つまたは複数からなる群から選択されるデバイスをさらに備える、請求項９または請求項１０に記載の装置。
【請求項１２】
コンピューティングハードウェアを備えるプロセッサ上で実行されたとき、前記プロセッサに、請求項１から請求項８のうちの何れか一項の方法を実行させる特定の命令を備える、非一時的コンピュータ可読媒体。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
相補型金属酸化膜半導体（ＣＭＯＳ）集積回路を有する半導体ウェハと、
電極と、
少なくとも部分的にキャビティが形成された絶縁材料と、
前記絶縁材料に接触し、前記キャビティを封止し、前記キャビティに近い第１の側と前記キャビティから遠い第２の側とを有する導電層であって、前記電極と前記導電層との間に前記キャビティを挟んだ状態で、前記電極と、前記キャビティと、前記導電層とが合わせて超音波振動子を少なくとも部分的に画定する、導電層と、
前記電極を前記ＣＭＯＳ集積回路に結合する導電性接点と、
前記絶縁材料に埋め込まれた導電性プラグであって、前記導電層を貫通することなく前記キャビティに近い前記導電層の前記第１の側を終端とすることで前記導電性プラグの表面が前記導電層の前記第１の側と接合される、導電性プラグと、を備え、
前記導電性プラグは前記導電層を前記ＣＭＯＳ集積回路に電気的に接続し、
前記電極と前記導電性プラグとは互いに電気的に絶縁される、装置。
【請求項２】
前記導電層が前記超音波振動子のメンブレンの第１の層を表す、請求項１に記載の装置。
【請求項３】
前記導電性プラグと前記導電層とが同じ材料から形成される、請求項１に記載の装置。
【請求項４】
前記キャビティが第１の幅を有し、前記電極が前記第１の幅より小さい第２の幅を有する、請求項１に記載の装置。
【請求項５】
前記キャビティが第１の幅を有し、前記電極が前記第１の幅より大きい第２の幅を有する、請求項１に記載の装置。
【請求項６】
前記導電層がシリコンウェハ上のコーティング層を表す、請求項１に記載の装置。
【請求項７】
前記電極に結合されたメンブレンストッパをさらに備える、請求項１に記載の装置。
【請求項８】
前記導電層の厚さが５ミクロン未満である、請求項１に記載の装置。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
デュアルアンテナハイブリッド送信機-受信機キャンセル回路であって、
送信機ポートにおける送信信号を受信機ポートにおける受信信号から分離する、第1のアンテナポートおよび第2のアンテナポートに結合されたハイブリッド構成要素と、
前記第1のアンテナポートおよび前記第2のアンテナポートの一方に結合された構成可能なアンテナであって、前記構成可能なアンテナが少なくとも1つの調整可能な物理的特性をもつ1つまたは複数の放射素子を有する、構成可能なアンテナを備え、
前記デュアルアンテナハイブリッド送信機-受信機キャンセル回路はさらに、
前記第1のアンテナポートおよび前記第2のアンテナポートの前記一方における信号の振幅および位相の少なくとも一方を変化させるように、受信した信号に基づき、前記構成可能なアンテナの前記1つまたは複数の放射素子の前記少なくとも1つの調整可能な物理的特性を制御し、それによって前記受信機ポートにおける信号キャンセルを回避する制御回路であって、信号強度がSNR閾値を超えるときに復調されたビットから、前記SNR閾値に満たないフェージングにより復調されないチャネルビットが回復され得る、受信した信号におけるフェージングを誘起するように、前記受信した信号の前記位相が周期性をもって変化する、制御回路を備える、デュアルアンテナハイブリッド送信機-受信機キャンセル回路。
【請求項２】
前記構成可能なアンテナと前記第1のアンテナポートおよび前記第2のアンテナポートの前記一方との間に介在する第1の位相偏移およびインピーダンス整合モジュールをさらに備える、請求項1に記載の回路。
【請求項３】
前記第1の位相偏移およびインピーダンス整合モジュールが、前記構成可能なアンテナの対応する状態を補償するようにそれぞれが設計された遅延/インピーダンス補償要素の回路網を備える、請求項2に記載の回路。
【請求項４】
前記第1のアンテナポートおよび前記第2のアンテナポートのもう一方に結合された第2のアンテナと、前記第2のアンテナと前記第1のアンテナポートおよび前記第2のアンテナポートの前記もう一方との間に介在する第2の位相偏移およびインピーダンス整合モジュールとをさらに備える、請求項1に記載の回路。
【請求項５】
前記制御回路が、前記少なくとも1つの物理的特性を制御するために、前記1つまたは複数の放射素子の様々な素子、または放射素子の様々な組合せを選択するように構成される、請求項1に記載の回路。
【請求項６】
前記少なくとも1つの調整可能な物理的特性が、前記1つまたは複数の放射素子のうちの少なくとも1つの素子の、位置、配向、形状、または延びの少なくとも1つである、請求項1に記載の回路。
【請求項７】
振幅および位相の前記少なくとも一方の変化の平均期間は、約2から200ミリ秒の範囲である、請求項1に記載の回路。
【請求項８】
前記制御回路が、
一定の周期性または可変の周期性からなる群から選択された、振幅および位相の前記少なくとも一方を変化させる周期性を決定する、または
振幅および位相の前記少なくとも一方を変化させるための相互に有益な周期性を決定するために、遠隔のワイヤレス通信デバイスと通信する、請求項7に記載の回路。
【請求項９】
デュアルアンテナハイブリッド送信機-受信機キャンセル回路を動作させるための方法であって、
ハイブリッド送信機-受信機キャンセル回路の受信機ポートで受信した信号の振幅および位相の少なくとも一方に、対応する変化を生じさせるように、構成可能なアンテナの1つまたは複数の放射素子に対して少なくとも1つの物理的特性を調整することによって、前記回路におけるデュアルアンテナの少なくとも一方の構成可能なアンテナの少なくとも1つの放射パターンパラメータを変化させるステップであって、信号強度がSNR閾値を超えるときに復調されたビットから、前記SNR閾値に満たないフェージングにより復調されないチャネルビットが回復され得る、受信した信号におけるフェージングを誘起するように、前記受信した信号の前記位相が周期性をもって変化する、ステップと、
前記構成可能なアンテナの様々な状態間の遅延およびインピーダンス差を補償するステップと
を含む方法。
【請求項１０】
変化させる前記ステップが、約2から200ミリ秒の範囲の期間ごとに少なくとも1回、前記放射パターンパラメータを調整するステップを含む、請求項9に記載の方法。
【請求項１１】
前記放射パターンパラメータは、放射ローブ方向、放射ローブ形状、またはビーム幅のうちの少なくとも1つを含む、請求項9に記載の方法。
【請求項１２】
前記少なくとも1つの放射パターンパラメータを変化させる前記ステップが、
前記構成可能なアンテナの前記1つまたは複数の放射素子の少なくとも1つ素子の、位置、配向、形状、または延びの少なくとも1つを変えるステップ、または
前記受信機ポートに接続された前記1つまたは複数の放射素子のうちのいくつか、またはそれらの組合せのうちの、少なくとも1つを調整するために、様々なアンテナ構成要素と前記受信機ポートとの間の接続を切り換えるステップを含む、請求項9に記載の方法。
【請求項１３】
一定の周期性または可変の周期性からなる群から、前記少なくとも1つの放射パターンパラメータを前記変化させる周期性を選択するステップをさらに含む、請求項9に記載の方法。
【請求項１４】
前記少なくとも1つの放射パターンパラメータを変化させるための相互に有益な周期性を求めるために、第2のワイヤレス通信デバイスと通信するステップをさらに含む、請求項9に記載の方法。
【請求項１５】
コンピュータプログラムであって、請求項9〜14のいずれか一項に記載の方法をプロセッサに実行させるためのコードを含むコンピュータプログラム。